(57)【特許請求の範囲】
【請求項１】
ドリル孔（２９）を有する家具部品（１９）に着脱式に固定される金具であって、金具本体（１）と、
複数の保持用突起部を含む収容部を有した少なくとも１体の開帳スリーブ（７）であって、前記保持用突起部は前記収容部の縦方向にずれており、前記開帳スリーブ（７）は円錐状先端部を有し、前記家具部品（１９）の前記孔（２９）に挿入されるように設計された少なくとも１つの開張スリーブ（７）と、
前記金具本体（１）を貫通して突起し、前記開張スリーブ（７）の前記収容部に受領され、該開張スリーブ（７）を開張させる開張部（２）と、
前記金具本体（１）上の１面上に前記家具部品（１９）から離れて固定されている前記開張スリーブ（７）の把持部（４、２１）と、
を含んで構成されており、前記開帳部（２）は、前記金具本体（１）に対して軸方向不動に保持されており、前記開張スリーブ（７）は前記開張部（２）と前記金具本体（１）に対しては把持部（４、２１）を介して軸方向に可動であり、
前記円錐状先端部の前記金具本体（１）方向の軸移動による前記把持部（４、２１）の起動により前記開帳スリーブ（７）は前記ドリル孔（２９）の内壁に対して押し付けられていることを特徴とする金具。
【請求項２】
開張部（２）はピンを含んでいることを特徴とする請求項１に記載の金具。
【請求項３】
開張スリーブ（７）は円錐状先端部を有しているだぼ状開張スリーブを含んでいることを特徴とする請求項１に記載の金具。
【請求項４】
開張部（2）が開張スリーブ（7）のエリアで円筒状であり、末端が主として円錐状であることを特徴とする、請求項１に記載の金具。
【請求項５】
開張部（2）が二つの半径方向に離れている（abstehend：突き出ている）ほぞを備え、それらのほぞが少なくともそのエリアで開張スリーブ（7）が生成するものに対して斜めに走る開張スリーブ（7）中のガイドスリット（8）に突き出ることを特徴とする、請求項１又は４のいずれかに記載の金具。
【請求項６】
ガイドスリット（6）は角度を付けた構造であり、開張スリーブ（7）の周囲ラインに沿って走るエリア（6’）と金具本体（1）に対して傾斜しているエリア（6”）を伴うことを特徴とする、請求項５に記載の金具。
【請求項７】
ほぞが、開張部（2）の直径方向の孔（10）から突き出るボルト（5）の末端で形成されることを特徴とする、請求項５又は６のいずれかに記載の金具。
【請求項８】
開張スリーブ（7）が捻れ止めを使い金具本体（1）で固定されていること及び開張部（2）がグリップ（4）あるいは工具受け部（13）を介して開張スリーブ（7）に対して相対的に捻れることを特徴とする、請求項１、３〜６のいずれかに記載の金具。
【請求項９】
捻れ止めが、開張スリーブ（7）から離れている（abstehend：突き出ている）二つの耳（8）によって形成され、それらの耳が金具本体（1）の対応スリット（9）あるいは溝に突き出ることを特徴とする、請求項８に記載の金具。
【請求項１０】
金具本体（1）が、縁部（14）が装着位置（姿勢）で家具部品（19）で支持されている弾性プレートとして製作されていることを特徴とする、請求項１、３〜９のいずれかに記載の金具。
【請求項１１】
開張部（2）の金具本体（1）を指す末端に、金具本体（1）が接している肩部がある請求項１、３〜１０のいずれかに記載の金具。
【請求項１２】
開張部（2）の外被に溝（15）が少なくとも１個あり、この溝に金具本体（1）が突き出ることを特徴とする、請求項１１に記載の金具。
【請求項１３】
工具受け部（13）が主にプラスネジドライバーを受けるためにネジ頭部の形状を成していることを特徴とする、請求項８に記載の金具。
【請求項１４】
工具受け部（13）が開張部（2）一体構造になっていることを特徴とする、船舶あるいは施設の請求項１３に記載の金具。
【請求項１５】
開張スリーブ（7）が、直径方向に配置され、内側に向けて離れている（突き出ており）二つのほぞ（18）を備えており、これらのほぞが、少なくともそのエリアで開張部（2）が生成するものに対して斜めに走る開張部（2）の溝（12）あるいはスリットに突き出ることを特徴とする、請求項１又は４のいずれかに記載の金具。
【請求項１６】
溝（12）溝（12）は角度を付けた構造をしており、開張部（2）の周囲ラインに沿って走るエリアと金具本体（1）に対して傾斜しているエリアを伴うことを特徴とする、請求項１５に記載の金具。
【請求項１７】
ほぞ（16）がポット状で開張スリーブ（7）の囲壁から押し出されることを特徴とする、請求項１５に記載の金具。
【請求項１８】
開張スリーブ（7）の場合、金具本体（1）には家具部品（19）の孔（29）に突き出るリング状の縁部（33）があり、この縁部はスリットを備えており、開張スリーブ（7）から離れ（abstehend：突き出て）、捻れ止めを形成する耳（8）がスリットに突き出ることを特徴とする、請求項９に記載の金具。
【請求項１９】
縁部（33）の内部被覆にネップ（Noppen）（33’）があり、それらの間を開張部（2）がガイドされていることを特徴とする、請求項１８に記載の金具。
【請求項２０】
開張スリーブ（7）が開いた市でリング状縁部（33）に接していることを特徴とする、請求項１９に記載の金具。
【請求項２１】
開張スリーブ（7）に接して二つの耳（20）が成形されており、それらの耳が金具本体（1）の分離スリット（22）を通じて突き出し、家具部品（19）から逸れている金具本体（1）側が圧締部に固定されていることを特徴とする、請求項１、４〜２０いずれかに記載の金具。
【請求項２２】
圧締部がロッキングレバー（21）として製作されていることを特徴とする、請求項２１に記載の金具。
【請求項２３】
開張スリーブ（7）が相補性シェル半部（27）2個で形成されることを特徴とする、請求項１、４〜２２のいずれかに記載の金具。
【請求項２４】
開張部（2）には正面側で突出しているほぞ（24）があり、このほぞを金具本体（1）の開口部（28）で受けていることを特徴とする、請求項１、４〜２３のいずれかに記載の金具。
【請求項２５】
開張スリーブ（7）の、金具本体（1）に向いている末端に、外側に向けて折り曲げた縁部（11）を備え、この縁部で開張スリーブがリング状引っ張り部（25）に吊り下げられており、この引っ張り部に２個の耳（28）があり、耳が金具本体（1）の分離スリット（22）から突き出ており、金具本体（1）の家具部品（19）から逸れているがわ、主としてロッキングレバー（21）として形成されている圧締部に固定されていることを特徴とする、請求項１、４〜２４のいずれかに記載の金具。
【請求項２６】
ほぞ（24）が金具本体（1）とリベットで留められていることを特徴とする、請求項２４に記載の金具。
【請求項２７】
ロッキングレバー（21）がノーズ（32）を備えており、このノーズと共にロッキングレバーが金具本体（1）に接して形成されているフック（31）を後方からキャッチすることを特徴とする、請求項１、４〜２６のいずれかに記載の金具。
【請求項２８】
フック（31）がプレート状金具本体（1）から打ち抜かれていることを特徴とする、請求項２７に記載の金具。
【請求項２９】
ロッキングレバー（21）のノーズ（32）が緩め位置でフック（31）に接し、圧締位置で金具本体（1）に接することを特徴とする、請求項２７又は２８のいずれかに記載の金具。
【請求項３０】
金具本体（1）が家具部品（19）に向いている突出部（18）を備え、それらの突出部が軸方向で開張部（2）を固定することを特徴とする、請求項１、４〜２９のいずれかに記載の金具。
【請求項３１】
突出部（18）が開張部（2）に対して押されていることを特徴とする、請求項３０に記載の金具。
【請求項３２】
ネップ（33’）が縁部（33）から押し出されており、開張部（2）のための軸方向のストッパーを形成することを特徴とする、請求項１９に記載の金具。
【請求項３３】
開張部（2）が金具本体（1）の可視面から金具本体を通じて差し込まれ、金具本体（1）を押す（stauchung：圧縮する）ことによって金具本体中で固定されており、その（開張部）の金具本体側末端に、金具本体に可視面側で接触するストッパーを備えていることを特徴とする、請求項１、４〜３２のいずれかに記載の金具。
【請求項３４】
開張部（2）が焼き戻し鋼製であることを特徴とする、請求項１、４〜３３のいずれかに記載の金具。
【請求項３５】
開張部（2）が焼き入れ鋼製であることを特徴とする、請求項１、４〜３４のいずれかに記載の金具。
【請求項３６】
開張部（2）が完全な横断面を有するピンとして製作されていることを特徴とする、請求項１、４〜３５のいずれかに記載の金具。
【請求項３７】
開張部（2）が円筒状スリーブとして製作されていることを特徴とする、請求項１、４〜３５のいずれかに記載の金具。
【請求項３８】
ストッパーが、開張部（2）の正面側に配置ないしは形成されている小板（40）として製作されていることを特徴とする、請求項１、４〜３７のいずれかに記載の金具。
【請求項３９】
小板（40）が金具本体（1）の可視側のくぼみ（41）に収容されていることを特徴とする、請求項３８に記載の金具。
【請求項４０】
金具本体（1）が、開張部（2）が突き出る開口部（9）に二つの耳（42）を有し、それらの耳の間で開張部（2）が保持されていることを特徴とする、請求項１、４〜３９のいずれかに記載の金具。
【請求項４１】
耳（42）がスリーブ状開張部（2）の開口部（43）あるいは完全な横断面を有するピン状開張部（2）の溝（44）に突き出ていることを特徴とする、請求項４０に記載の金具。
【請求項４２】
耳（42）が押されていることを特徴とする、請求項４０又は４１のいずれかに記載の金具。
【請求項４３】
小板（40）が畳み折りしてつながれていることを特徴とする、請求項３８又は３９のいずれかに記載の金具。
【請求項４４】
家具部品に接するプレート状金具本体、家具側装着面及び対向可視面、少なくとも家具部品の孔に挿入できる開張スリーブ、主として円錐形の先端と開張スリーブ用のピン状開張部を備え、開張部が金具本体の開口部に突き出し、これ（金具本体）に固定されており、その装着面に突き出ており、その場合、金具本体の家具部品から離れている側に開張スリーブの圧締部が配置されており、圧締部が主として金具本体で支持され、開張スリーブが圧締部によって、開張部と金具本体に対して相対的に軸方向に移動でき、家具部品に緩めることが出来る状態で固定するための金具で、開張スリーブ（7）の外被に半径方向に通じている開口部（45、46）を備えていることを特徴とする、請求項１、４〜４３のいずれかに記載の金具。
【請求項４５】
開張スリーブ（7）が相補性シェル（27）２個で形成され、シェルの側方縁部に相互に向かい合うリセスがあり、それらのリセスは開張スリーブ（7）が圧締されていない位置で補完し合って周囲が閉じた開口部（45、46）が得られることを特徴とする、請求項４４に記載の金具。
【請求項４６】
開口部（46）が三角形あるいは滴状であることを特徴とする、請求項４４又は４５のいずれかに記載の金具。
【請求項４７】
開張スリーブ（7）の外被に円形あるいはほぼ円形の開口部（45）が用意されていることを特徴とする、請求項４４〜４６のいずれかに記載の金具。
【請求項４８】
少なくとも開張スリーブ（7）の外部表面に燐酸塩がコーティングされていることを特徴とする、請求項１、４〜４７のいずれかに記載の金具。
【発明の詳細な説明】
本発明の対象は、家具部品に外せるように固定するための金具で、その家具部品に接している金具本体、少なくともこの家具部品の孔に挿入できるダボ状の開張スリーブで、その外被に軸方向に配置された複数の保持用突出部が形成されているものを備え、特に先端が円錐状であり、金具本体から突き出ており、その場合、金具本体の家具部品から離れている側に、開張スリーブのための、主として金具本体で支えられる圧締部が配置されている開張スリーブのためのピン状開張部を備えているものである。
本発明の課題は、特に小さなボーリング孔に固定できる、すなわち、そのダボないしは開張スリーブ及び開張部の径が非常に小さい家具用金具を作り出すことである。但し、その場合、家具部品に家具金具が確実に保持されるように保証されていなければならない。特に、ここで考えられているのは5mm径のボーリング孔であるが、それは、これら（のボーリング孔）がシステムボーリングでは非公式規格として認められていたからである。
本発明に拠る課題は、開張部が金具本体中で軸方向に変位しないように保持されていること及び圧締部品を使い開張スリーブが開張部及び金具本体に対して相対的に軸方向で移動できることによって解決される。
それによって、金具の圧締時に、ダボの作用範囲で木製材料が圧縮されることになり、家具部品中におけるダボないしは開張スリーブの保持状況が改善されることになる。
開張部に、半径方向に離れて2個のほぞがあり、これらのほぞが少なくとも範囲的には開張スリーブが発生させるものに対して斜めに走る開張スリーブにおけるガイドスリット中に突き出ていることが有利な点として考えられている。
本発明の他の具体例として考えられるのは、開張スリーブが、直径上に配置され、内側に向けて離れて行く2個のほぞを有しており、それらのほぞが少なくとも範囲的には開張部が発生させるものに対して斜めに走る開張部の溝あるいはスリット中に突き出ていることである。
上記以外に有利な点として考えられているのは、開張スリーブが捻れ止めを使って金具本体中に留められていること及び開張部がグリップあるいは工具受けを介して開張スリーブに対して相対的に捻れることである。
本発明の具体例の一つで考えられているのは、開張スリーブの縁が、金具本体に向いている末端で、外側に向けて曲げられており、この縁によって開張スリーブがリング状牽引部中に吊り下げられており、牽引部には二つの耳があり、これらの耳は金具本体の分離スリットを通じて突き出ており、家具本体の家具部品から離れている側、主としてロッキングレバーの形状をしている圧締部に（蝶番で）留められていることである。
更に別の本発明の具体例の一つで考えられているのは、開張部が、金具本体の可視面からこれ（金具本体）を通じて突き出され、家具本体を強く押すことによってこれ（家具本体）中に固定されており、その（開張部）金具本体側末端に、金具本体の可視側に接しているストッパーがあることである。
更に、有利なものとして考えられているものには、開張スリーブが外被中で半径方向に通る開口部を備えていることである。
開張スリーブは、金属、特に焼き戻し鋼製であり、優れている点である。その場合、開張スリーブの肉厚を非常に薄くできる。最大1mmであり、主に0.7〜0.8mmである。開張スリーブは燐酸塩処理によって適切に表面処理が為されている。
次に、添付図面を使い本発明の様々な具体例を説明する。
すなわち、図1と図２は、それぞれ本発明に拠る家具用金具の図面（Schaubild）である；
図3は、本発明に拠る家具用金具の図面である。その場合、各部が分解作図されている；
図4は、本発明に拠る金具の平面図である；
図5は、グリップの位置が図4に拠る場合のガイドスリット中におけるドライビングほぞ（Mitnehmerzapfen）の一つの位置を示す；
図6は、図4のB-B線に拠る断面図である；
図7は、図4のA-A線に拠る断面図である；
図8は、本発明に拠る金具の平面図である；
図9は、グリップの位置が図8に拠る場合のガイドスリット中におけるドライビングほぞ（Mitnehmerzapfen）の位置を示す；
図10は、図8のB-B線に拠る断面図である；
図11は、図8のA-A線に拠る断面図である；
図12は、本発明に拠る金具の別の平面図である；
図13は、グリップの位置が図12に拠る場合のガイドスリット中におけるドライビングほぞの位置を示す；
図14は、図12のB-B線に拠る断面図である；
図15は、図12のA-A線に拠る断面図である；
図16及び図17は、それぞれ本発明に拠る金具の他の具体例の図面である；
図18は、金具の図面である。その場合、各部が分解作図されている；
図19は、本発明に拠る金具の平面図である；
図20は、図19のA-A線に拠る断面図である；
図21は、図19のB-B線に拠る断面図である；
図22は、図19のA-A線に拠る断面図である。その場合、開張スリーブは開張位置で表示されている；
図23は、図19のB-B線に拠る断面図である。その場合、開張スリーブは開張位置で作図されている；
図24は、本発明に拠る金具の横断面図である；
図25は、図24のB-B線に拠る断面図である；
図26及び図27は、それぞれ本発明に拠る金具の他の具体例の図面である；
図28は、金具のこの具体例の図面である。その場合、各部は分解作図されている；
図29は、この具体例の平面図である；
図30は、図29のA-A線に拠る断面図である；
図31は、本発明に拠る金具の平面図である。その場合、圧締レバーは圧締位置で作図されている；
図32は、図3ＩのA-A線に拠る断面図である；
図33と図34は、それぞれ、本発明に拠る金具の、その他の具体例の図面である；
図35は、図33と図34に準拠する本発明に拠る金具の図面である。その場合、個々の部品は分解表示されている；
図36と図37は、それぞれ、本発明に拠る金具の、その他の具体例の図面である；
図38は、この具体例の図面である。その場合、各部が分解表示されている；
図39は、本発明に拠る金具の、この具体例の平面図；
図40は、図39のA-A線に拠る断面図である；
図41は、本発明に拠る金具の、その他の具体例の平面図である；
図42は、図41のA-A線に拠る断面図である；
図43は、この金具の具体例の平面図である。その場合、グリップは緩められた位置で表示されている；
図44は、図43のA-A線に拠る断面図である；
図45は、本発明に拠る金具の図面である。その場合、各部は分解作図されている；
図46a及び図46bは、開張部の図面である；
図47は、本発明に拠る金具の平面図である；
図48は、図47のA-A線に拠る図面である；
図49は、図47のB-B線に拠る断面図である；
図50は、図48のA部分である；
図51は、固定位置における本発明に拠る金具の平面図；
図52は、図51のA-A線に拠る断面図である；
図53は、図51のB-B線に拠る断面図である；
図54は、図52のA部分である；
図55aと図55bは、それぞれ開張部のその他の具体例の図面である；
図56は、本発明に拠る家具用金具のその他の平面図である；
図57は、図56のA-A線に拠る断面図である；
図58は、図56のB-B線に拠る断面図である；
図59は、図57のA部分である；
図60は、圧締位置における本発明に拠る金具の平面図；
図61は、図60のA-A線に拠る断面図である；
図62は、図60のB-B線に拠る断面図である；
図63は、図61のA部分である；
図64a、b、cは、開張スリーブの図面である；
図65は、軟質木材に固定する場合の、開張部と開張スリーブの縦断面図である；
図66は、硬質木材に固定する場合の、開張部と開張スリーブの縦断面図である。
図1〜図15に拠る具体例の場合、本発明に拠る家具用金具は、例えば蝶番アーム用ベースプレートとして製作されている金具本体1、開張スリーブ7、ピン状開張部7及びグリップ4より成る。
開張スリーブ7は、ダボ状の構造になっており、主として焼き戻しないしは焼き入れ鋼製の非常に薄いスリーブで形成される。開張スリーブ7は、主として表面処理されている。これらの具体例の場合、開張スリーブ被覆面の燐酸塩処理が考えられている。開張スリーブ7の外被には軸方向に転位した複数のリップ状突出部があり、開張部19の木製外被における保持状況が良くなる。開張部2は、金属製、プラスティック製のいずれも可能であるが、主に使用されるのは金属、特に焼き戻しないしは焼き入れ鋼である。開張部7は、完全な胴体部を備えるピンの形態も、円筒状スリーブ（図48a、b）の形態も可能である。
金具本体Ｉの、開張部18から離れている側では、開張部2がグリップ4の形状をしている圧締部のボルトを介して（蝶番で）留められている。グリップ4は金具本体1で直接支えられており、開張部2はグリップ4を使って回転できる。
その場合、開張部2は、金具本体1の、二つのスリット9とセグメント状のリセス9’で形成される開口部から突き出す。
開張部2には開口部10があり、この開口部にボルト5が挿入されている。ボルト5は開張部2の両側から突き出し、ドライビングほぞ（Mitnehmerzapfen）の役割を果たす両端が開張スリーブ7のガイドスリット８に入る。ガイドスリット8には開張スリーブ7の周囲方向で拡がるエリア8’及び円筒状外被で形成される開張スリーブ7によって生じるものに対して傾斜しているエリア8’’がある。
更に外被7には二つの突起部（Lappen）がある。これらの突起部は装着された状態で金具本体1のスリット9に入り、開張スリーブ7の捻れ止めを形成する。
更に、開張スリーブ7には縦方向に走るスリット35があり、固定されていない方の末端には傾斜し、内側に曲げられており、開張部2の前部をを被覆する突起部35がある。
金具本体1を装着する場合、金具本体は、図4及び図6で示すように、家具部品19上に載せられ、開張スリーブ7が開張部2と共に家具部品19の孔29に挿入される。その場合、図6と図7で判るように、固定されていない。ボルト5は、図5で表示されている位置にあるガイドスリット中にある。
開張部2には溝15があり（図7）、この溝に金具本体Ｉの突出部38が突き出る。それによって金具本体1に対して相対的に開張部2が軸方向に相対移動する状態が防止される。
開張スリーブ7を圧締固定し、金具本体1を家具部品19に固定するために、グリップ4を捻ると、ガス6中の開張スリーブ7に対して相対的にボルト5が相対移動することになる。その場合、図8と図10で表示するように、開張スリーブ7が吊り上げられる。すなわち、家具部品19の孔29から引き出され、他方、開張部2は金具本体1中で軸方向にずれぬように保持されている。その場合、図10に示すように、開張スリーブ7が拡がることになる。図8は、グリップ4が図8で示す中間位置に来た時におけるガイドスリット8におけるボルト5のポジションを示す。
金具本体1のスリット9で保持されている突起部8によって、グリップ4と開張部2を回す際に開張スリーブ7が一緒に回るのが防止される。
家具部品19中に開張スリーブ7を最終的に留めるために、グリップ4は、図12で示した最終位置に置かれる。その場合、ボルト5は、ガイドスリット6の範囲内、図13で示した位置に来る。図14及び図15で判るように、開張スリーブ7は最大限に圧縮されており、家具部品19の孔29に留められている。
グリップ4の方に向いているガイドスリット7正面は金具本体1で被われるため（図15aを参照）、開張スリーブ7を孔29から大きく引き出すことは出来ない。
図18〜図25に拠る具体例では、開張部2は、ネジ頭部の構造をしている工具受け部分と一体の形態を成している。この具体例の場合、工具受け部分13は、プラスネジドライバー用プラスネジが切られている。
開張スリーブ7は、前記の具体例におけるボルト5の課題を引き受けるほぞが内部被覆（Innenmantel）に接している点が前記の例における開張スリーブ7とは異なる。
開張部2には、溝12があるが、これらの溝は前記具体例のガイドスリット6に対応しており、開張スリーブ2のほぞ18がこれらの溝中に突き出ている。溝12はガイドスリット6と同様角度を付けた構造をしており、開張部2の周囲ラインに沿って走るエリアと金具本体1に対して傾斜しているエリアを伴う。溝12のガイド機能はガイドスリット6のガイド機能に対応している。開張部2は工具受け部分13と結合しているスリーブを伴う構造も可能である。このスリーブには、溝12の代わりに、再びほぞ16’のガイドスリットがある。
開張スリーブ7には再び突起部8がある。この突起部は金具本体1のスリット9中に突き出し、開張スリーブ7の捻れ止めとして作用する。
金具本体1を固定するために、図20、21で示すように、これを開張部2及び開張スリーブ7と共に家具部品19にあてがう。開張スリーブ7は開いておらず、そのため楽に家具部品19の孔29に挿入できる。
スクリュードライバーを使い開張部2を捻ることによって、図22、23及び25で示すように、開張スリーブ7を開き、家具部品19のボーリング孔29に留める。
開張部2の開張スリーブ7を緩める際に、不意に家具部品19の孔29から抜け落ちぬようにするために、金具本体1には突出部18がある。これらの突出部は開張部2に向いており、開張部2が孔29から出る場合、開張部の肩部分がそれらの突出部に接する。突出部18を通じて、開張部2は金具本体1に留められている。金具を組み立てる場合、開張部2を挿入する前に、突出部18は、金具本体1の表面に対してほぼ鉛直に調整されている。開張部2を金具本体1に挿入した後、突出部18を強く押す。従って、突出部は図21と図23で示したポジションに入り、開張部2を金具本体1中に固定することになる。
図25の具体例の場合、縁部33が孔29中に突き出ている。その場合、開張スリーブ7の突起部8は縁部33のスリットで支えられている。前記具体例の場合と全く同様に、開張部2は金具本体1の突出部を使って金具本体中に固定されている。突出部は縁部33から押し出されており、一方では開張部2をガイドするネップ（Noppen）33’を形成し、他方では開張部2の肩部のための正面側ストッパーを形成する。これ（肩部）は金具本体1，すなわち孔28から開張部2が押し出されるのを防止する。開張部2が金具本体1中で軸方向に固定されていることによって、金具を緩めると、開張スリーブ7は確実に孔29中に押し込まれ、孔29の囲壁から離れることになる。
図25の具体例では、金具本体1は家具部品19にぴったりと接している。
この具体例では、ほぞ16は開張スリーブ7のポット状ネップで形成されている。
図28〜図31の具体例の場合、開張スリーブ7には二つの耳20がある。耳には、開張スリーブ7をロッキングレバー21に連結しているボルト23が突き出る穴が明いている。ロッキングレバー21は開張スリーブ7の圧締部品として使われる。
その場合、耳20は、金具本体1のスリット22から出る。
開張部2は円筒状をしており、金具本体1の穴26に差し込むことが出来るほぞ24を備えている。ほぞ24は金具本体1に主としてリベット留めされている。
ロッキングレバー21はカム17を備えている。このカムによってロッキングレバーは金具本体1の圧締位置で支えられるのである。
図28〜図30で示すポジションの場合、圧締レバー21は緩め位置にあり、開張スリーブ7は開張部2と共に家具部品19の孔29に挿入できる。引き続き、ロッキングレバー21を図31で示した位置に傾け、それに続いて開張スリーブ7をボルト23と耳20を介して金具本体1に向けて引っ張り、図32で示すように拡げる。
図33〜図35に拠る具体例の場合、開張スリーブ7は二つの相補シェル半部27で形成される。これらのシェル半部にも耳20があり、それらを介して（シェル半部）はボルト23及びロッキングレバー21に吊り下げられている。開張部2は前記具体例の場合と同様にほぞ24を備えている。このほぞは金具本体1の穴26に挿入できる。二つのシェル半部27で形成される開張スリーブ7も前記具体例の場合と全く同様にロッキングレバー21を傾斜させることによって家具部品19の孔29中で開帳される。その場合、シェル半部27は金具本体1に対して引っ張られることになる。
図36〜図40の具体例では、開張スリーブ7はリング状の引っ張り部（Zugteil）25中に吊り下げられている。この引っ張り部には二つの耳28があり、これらの耳は金具本体1のスリット22から突き出し、耳28をロッキングレバー21と結合するボルト23中に吊り下げされている。
開張部2は、前記具体例と同様の構造になっている。
円筒状開張スリーブ7には、外側に向けて折り曲げられていない縁部11があり、この縁部で開張スリーブが引っ張り部25中に吊り下げられている。
引っ張り部25のエリアで開張スリーブ7は圧縮部（Verstaucung）30を備えており、開張スリーブ7を引っ張り部25で確実に保持するのに有利である。再び図面中の図で緩め位置が表示されているロッキングレバー21を反転させて開張スリーブ7を拡げる。
図41〜図43の具体例では、金具本体1からフック31が打ち抜かれている。このフックは圧締レバーの緩め位置でロッキングレバー21のノーズ32によって固定される。この様にして、ロッキングレバー21から開張スリーブ7あるいは開張部2に対して張力（Zug）を及ぼすことなく、金具本体1をロッキングレバー21を使い家具部品19から抜き取るか、開張スリーブ7を家具部品19の孔29から引き抜くことが出来る。
ロッキングレバー21の圧締位置ではノーズ32が金具本体1に接している。
図示した具体例の大部分で、金具本体1は、家具部品19で支えられている縁部14を備えている。開張スリーブ7を圧縮すると、金具本体1が楽に押せるため、弾性圧締効果が得られる点が有利である。
図45〜図66の具体例では、開張スリーブ7は再び2個の耳20を備えている。これらの耳には穴が開けられており、これらの穴二ボルト23が通り、このボルトによって開張スリーブ7がロッキングレバー21に固定されている。ロッキングレバー21は再びカム1を備えており、このカムによってロッキングレバーは圧締位置で開張部2に接して支持される。
その場合、金具本体1の一つないしは複数の開口部から耳20が突き出る。
図45、47、48、49で示したポジションの場合、圧締レバー21が緩め位置にあり、開張スリーブ7は開張部2と一緒に家具部品19の孔29に挿入できる。引き続き、ロッキングレバー21を、図51、52、53で示した位置に傾動させ、続いて開張スリーブ7をボルト23と耳20を介して金具本体1に向けて引っ張り、拡げる。
開張スリーブ7は二つの相補性シェル半部で形成することもできる。これらのシェル半部は、補い合い閉じたスリーブを形成し、再び耳20を備え、それらの耳を介してボルト23中とロッキングレバー21中に吊り下げられている。
金具を装着する場合、開張部2を金具本体1の可視側から開口部9を通じして差し込むと、金具本体1の装着側で金具本体から出てくる。その場合、開張部2の金具本体側末端に、小板40がある。この小板は、可視面側、金具本体1のリセス41で支持されている。
開張スリーブ7は装着側から金具本体1中に吊り下げられ、その耳20が金具本体1の開口部から突き出る。
リセス41は、家具壁19に向いている側、すなわち、装着側で耳42から区切られており、開張部2を金具本体1中に吊り下げた後、耳を押し込み、それによって開張部2が紛失しないように、金具本体1中に固定されている。その場合、耳42はスリーブ状の開張部2の穴43中、あるいは開張部2の−開張部が完全円筒構造になっている場合−リング溝44中に突き出る。その場合、リング溝44は小板40及び開張部2の円筒体から区切られる。
特に図50で判るように、小板40を折り畳みしてつなぎ、補強することが出来る。
図64a〜図64cで判るように、開張スリーブ7は開口部45と46と備えている。開口部45は円形であり、開口部46は滴状ないしは三角形である。
開口部45、48は、二つのシェルで形成されている開張スリーブ7の縁部に接するリセスとして製作することも可能である。その場合、開張スリーブ7を組み立てる際に、リセスが補われ、周囲が閉じた開口部になる。
これらの開口部45、48によって開張スリーブ7の変形性が改善される。それによって、木材製材料、特に軟質材料における保持性が向上されることになる。更に、図65及び66で判るように、開張時に木材製材料の部分が穴45、46中に入り、いわば開張スリーブ7中にはまることによって家具壁19中における開張スリーブ7の保持状態が一層向上することになる。
【図１】
0004324746.tif 000002
【図２】
0004324746.tif 000003
【図３】
0004324746.tif 000004
【図４】
0004324746.tif 000005
【図５】
0004324746.tif 000006
【図６】
0004324746.tif 000007
【図６ａ】
0004324746.tif 000008
【図７】
0004324746.tif 000009
【図７ａ】
0004324746.tif 000010
【図８】
0004324746.tif 000011
【図９】
0004324746.tif 000012
【図１０】
0004324746.tif 000013
【図１０ａ】
0004324746.tif 000014
【図１１】
0004324746.tif 000015
【図１１ａ】
0004324746.tif 000016
【図１２】
0004324746.tif 000017
【図１３】
0004324746.tif 000018
【図１４】
0004324746.tif 000019
【図１４ａ】
0004324746.tif 000020
【図１５】
0004324746.tif 000021
【図１５ａ】
0004324746.tif 000022
【図１６】
0004324746.tif 000023
【図１７】
0004324746.tif 000024
【図１８】
0004324746.tif 000025
【図１９】
0004324746.tif 000026
【図２０】
0004324746.tif 000027
【図２０ａ】
0004324746.tif 000028
【図２１】
0004324746.tif 000029
【図２１ａ】
0004324746.tif 000030
【図２２】
0004324746.tif 000031
【図２２ａ】
0004324746.tif 000032
【図２３】
0004324746.tif 000033
【図２３ａ】
0004324746.tif 000034
【図２４】
0004324746.tif 000035
【図２４ａ】
0004324746.tif 000036
【図２５】
0004324746.tif 000037
【図２５ａ】
0004324746.tif 000038
【図２６】
0004324746.tif 000039
【図２７】
0004324746.tif 000040
【図２８】
0004324746.tif 000041
【図２９】
0004324746.tif 000042
【図３０】
0004324746.tif 000043
【図３０ａ】
0004324746.tif 000044
【図３１】
0004324746.tif 000045
【図３２】
0004324746.tif 000046
【図３２ａ】
0004324746.tif 000047
【図３３】
0004324746.tif 000048
【図３４】
0004324746.tif 000049
【図３５】
0004324746.tif 000050
【図３６】
0004324746.tif 000051
【図３７】
0004324746.tif 000052
【図３８】
0004324746.tif 000053
【図３９】
0004324746.tif 000054
【図４０】
0004324746.tif 000055
【図４０ａ】
0004324746.tif 000056
【図４１】
0004324746.tif 000057
【図４２】
0004324746.tif 000058
【図４３】
0004324746.tif 000059
【図４４】
0004324746.tif 000060
【図４５】
0004324746.tif 000061
【図４６ａ】
0004324746.tif 000062
【図４６ｂ】
0004324746.tif 000063
【図４７】
0004324746.tif 000064
【図４８】
0004324746.tif 000065
【図４９】
0004324746.tif 000066
【図５０】
0004324746.tif 000067
【図５１】
0004324746.tif 000068
【図５２】
0004324746.tif 000069
【図５３】
0004324746.tif 000070
【図５４】
0004324746.tif 000071
【図５５ａ】
0004324746.tif 000072
【図５５ｂ】
0004324746.tif 000073
【図５６】
0004324746.tif 000074
【図５７】
0004324746.tif 000075
【図５８】
0004324746.tif 000076
【図５９】
0004324746.tif 000077
【図６０】
0004324746.tif 000078
【図６１】
0004324746.tif 000079
【図６２】
0004324746.tif 000080
【図６３】
0004324746.tif 000081
【図６４ａ】
0004324746.tif 000082
【図６４ｂ】
0004324746.tif 000083
【図６４ｃ】
0004324746.tif 000084
【図６５】
0004324746.tif 000085
【図６６】
0004324746.tif 000086